(57)【要約】      （修正有）【課題】角形の複雑な溝形状の軒樋、特に、ＡＥＳ樹脂が被覆された耐候性に優れた軒樋を、変色することなく輸送することができる軒樋梱包体を提供する。【解決手段】複数本の軒樋が開口部を互いに嵌め合わされてなる軒樋集束体１の外周全面がクラフト紙２で梱包結束され、両端部には緩衝性を有するキャップ体４が被せられて梱包済クラフト紙２に固定されている。【選択図】図１
2005186962.tif 000002
【特許請求の範囲】
【請求項１】
複数本の軒樋が開口部を互いに嵌め合わされてなる軒樋集束体の外周全面がクラフト紙で梱包結束され、両端部には緩衝性を有するキャップ体が被せられて梱包済クラフト紙に固定されていることを特徴とする軒樋梱包体。
【請求項２】
軒樋集束体が４０〜８０ｇ／ｍ2のクラフト紙で少なくとも二重に梱包されている請求項１記載の軒樋梱包体。
【請求項３】
キャップ体が段ボール紙を多重に折り畳んで形成されたものである請求項１または２記載の軒樋梱包体。
【発明の詳細な説明】
【技術分野】
【０００１】
本発明は、軒樋梱包体に関するものである。
【背景技術】
【０００２】
従来、軒樋を梱包するには、複数本の軒樋を積み重ねて結束し、両端部に段ボール製のキャップ体を被せる方法、または、積み重ねた軒樋の両断部にキャップ体を被せて段ボール箱に収納する方法等がある。
【０００３】
また、近年、軒樋の外観を屋根や庇と調和の取れたデザインとした角形の複雑な溝形状のものが使用されるようになっている。
また、軒樋としての耐候性を持たせるために、軒樋の内外表面を耐候性に優れるＡＥＳ樹脂（アクリロニトリル−ＥＰＤＭ−スチレン共重合樹脂）を被覆することが多い。ＥＰＤＭはエチレン・プロピレン・ジエン共重合体である。
このＡＥＳ樹脂は、耐候性に優れるが、プラスチック製雨樋に使用されてきた塩化ビニル樹脂に比べて柔らかい。
このような軒樋を梱包するには、積み重ねできないので、複数本の軒樋、例えば、２本または４本を、開口部が互いに嵌め合わされてなる軒樋集束体として、両端部にキャップ体を被せて段ボール箱に収納する方法が採用されている（例えば、特許文献１参照。）。
【０００４】
【特許文献１】特開平８−１１３２６３号公報  （段落番号００１４、図３）
【発明の開示】
【発明が解決しようとする課題】
【０００５】
しかしながら、特許文献１に記載の上記梱包体においては、軒樋の外面が段ボール箱に直接接触し、軒樋の外面が段ボール箱の内面に圧接される。また、輸送時には、振動により、軒樋外面が段ボール箱の内面と擦られることになる。
軒樋の外面に耐候性を持たせるためにＡＥＳ樹脂層が設けられていると、輸送時の圧接と擦れにより、軒樋の外面の長手方向に白く変色した筋が付き、軒樋の外観が損なわれる。この白色の筋がつくのは、段ボール箱の波状中芯によって柔らかい部分と硬い部分とが存在して、硬い部分に大きな圧力と擦れが生じるためである。
従って、耐候性を持たせるためにＡＥＳ樹脂層を設けた軒樋を段ボール箱に収納する梱包体では避けられない欠陥となっている。
【０００６】
本発明は、角形の複雑な溝形状の軒樋、特に、ＡＥＳ樹脂が被覆された耐候性に優れた軒樋を、変色することなく輸送することができる軒樋梱包体を提供することを目的とする。
【課題を解決するための手段】
【０００７】
請求項１に記載の本発明の軒樋梱包体は、複数本の軒樋が開口部を互いに嵌め合わされてなる軒樋集束体の外周全面がクラフト紙で梱包結束され、両端部には緩衝性を有するキャップ体が被せられて梱包済クラフト紙に固定されていることを特徴とするものである。
【０００８】
この請求項１記載の本発明においては、軒樋集束体の外周全面がクラフト紙で梱包されているので、軒樋集束体の軒樋外周面には常に全面均一な押圧力が作用する。また、輸送時においても軒樋集束体とクラフト紙との間では擦れが生じることがない。
従って、軒樋として、耐候性に優れたものとするため、比較的柔らかなＡＥＳ樹脂が被覆された軒樋であっても、段ボール箱による梱包のように白色の筋が付くことがない。
【０００９】
また、梱包体の両端部には緩衝性を有するキャップ体が被せられて梱包済クラフト紙に固定されているので、梱包体の輸送時に両端部が保護される。また、梱包体を積み重ねた場合には、両端部のキャップ体を被せた部分で上の梱包体の荷重を受けることができるので、軒樋の変形を防止できると共に安定した積み重ねができる。
【００１０】
また、請求項２に記載の本発明の軒樋梱包体は、請求項１記載の軒樋梱包体において、軒樋集束体が４０〜８０ｇ／ｍ2のクラフト紙で少なくとも二重に梱包されているものである。
軒樋集束体が少なくとも二重のクラフト紙で梱包されているので、輸送時に固定物に衝突しても、外側のクラフト紙は破けても内側のクラフト紙は破れないので、軒樋の外表面を衝突に対して保護できる。
また、４０〜８０ｇ／ｍ2のクラフト紙で梱包されているので、梱包し易くかつ安価で、梱包代の節約となる。
【００１１】
また、請求項３に記載の本発明の軒樋梱包体は、請求項１または２記載の軒樋梱包体において、キャップ体が段ボール紙を多重に折り畳んで形成されたものである。
キャップ体を多重に折り畳んで形成したものを使用しているので、多段に積み重ねても積載荷重の大部分は梱包体の両端部で支えられ、軒樋の変形を良好に防止できる。
【発明を実施するための最良の形態】
【００１２】
次に、本発明を実施するための最良の形態を図面に示す実施例で説明する。
【００１３】
図１は本発明の軒樋梱包体の一例を示す斜視図、図２は図１に示す軒樋梱包体の拡大中央横断面図で、（１）および（２）はそれぞれ別の実施形態を示している。
図で、１は軒樋集束体で、図２（１）および（２）に示すように４本の軒樋１１が開口部を互いに嵌め合わされて集束されているものである。この軒樋集束体１は、断面が四角形となるように嵌め合わされている方が輸送時や保管時に安定して積み重ねられるので好ましい。
【００１４】
１２は間隔保持板で、十字状に組まれている。この間隔保持板１２は、４本の軒樋１１を嵌め合わせた内部側に位置する各軒樋１１の開口縁１３の位置関係が一定となるように間隔を保持するものである。
この間隔保持板１２は、軒樋集束体１の内部に連続して組み込まれていても、両端部近くと中央部とに分割して組み込まれていてもよい。
【００１５】
軒樋集束体１は、その外周全面がクラフト紙２で梱包されている。軒樋集束体１をクラフト紙２で梱包するには、軒樋１１より長いクラフト紙２の上に軒樋集束体１を置き、クラフト紙２を軒樋集束体１に被せ、軒樋集束体１を被せたクラフト紙２と共に回転させて二重に被せる。二重に被せたらクラフト紙２を軒樋１１の長手方向に切断し、その端縁にに沿ってクラフトテープ２１を貼って固定すればよい。
【００１６】
両端部では軒樋集束体１の端面に向けて折り畳まれてテープ２２で止められている。このようにしてクラフト紙２で梱包された軒樋集束体１は、その上から、結束バンド３で結束されている。例えば、ポリプロピレン製のバンドを巻き付けて熱融着する方法で結束されるのが簡単である。
結束位置は、軒樋集束体１をしっかり結束でき、緩まない間隔であれば、結束ヶ所は少ない方がよい。４ｍ長の軒樋１１を４本結束する場合、両端から４０cmの位置と、両端か
ら１６５cmの位置の４か所で結束したらしっかりと結束できた。
【００１７】
４はキャップ体である。キャップ体４は、段ボールを糊付け、折り畳んで二重底、二重壁の箱体に形成されたもので、梱包結束された軒樋集束体１の両端部に被せられている。このキャップ体４は、クラフトテープ４１で梱包済クラフト紙２に貼りつけて固定されている。キャップ体４の内周面寸法は、梱包結束された軒樋集束体１の両端部外周面寸法と略一致した寸法であるのが好ましい。
このようにして、本発明の軒樋梱包体となされている。
【００１８】
上記実施例における段ボールからなる二重底、二重壁の箱体からなるキャップ体４の作り方の例を、図３および図４で説明する。図３および図４は、キャップ体４ａおよび４ｂの折り畳み順序を説明する組立て説明図である。
図３に示す例では、裁断された段ボールが糊付けして方形筒体５となされ、一方の裁断片５１が重なるように折り込まれて糊付けして底５２が形成され、他方の裁断片５３が方形筒体５の内面に向けて折り返されて二重側壁５４のキャップ体４ａが形成されている。底５２および側壁５４が複数層となされているので、キャップ体４ａの部分で、積み重ねた軒樋梱包体の荷重の大部分を受けることができる。
【００１９】
また、図４に示す例では、裁断された段ボールの底６１が糊付けされて折り畳まれており、梱包時には、ワンタッチで箱体６に組み立てられる。この箱体６の他方の裁断片６２の折り目６２ａを山折り、折り目６２ｂを谷折りして、箱体６の内面に向けて折り込む。これにより、側壁６３および底６４が二重に形成されたキャップ体４ｂが形成される。
この箱体６とすると、組立てがワンタッチででき、裁断片を折り込むだけでキャップ体４ｂが形成できるので、軒樋の結束梱包を効率的に行うことができる。
【００２０】
尚、上記の実施例では、軒樋１１の４本からなる軒樋梱包体であったが、２本からなる軒樋梱包体であってもよい。
また、クラフト紙２は１枚を二重に巻き付けたものであったが、二重にしたクラフト紙を軒樋集束体１に１回巻き付けたものであってもよい。当然三重以上に巻き付けたものであってもよい。
また、キャップ体４は、軒樋１１のサイズが小さく、軽量なものであれば、一重の段ボールからなるものであってもよい。
【００２１】
本発明の請求項１記載の発明においては、軒樋集束体の外周全面がクラフト紙で梱包されているので、軒樋集束体の軒樋外周面には常に全面均一な押圧力が作用する。また、輸送時においても軒樋集束体とクラフト紙との間では擦れが生じることがない。従って、軒樋として、耐候性に優れたものとするため、比較的柔らかなＡＥＳ樹脂が被覆された軒樋であっても、段ボール箱による梱包のように白色の筋が付くことがない。
【００２２】
また、梱包体の両端部には緩衝性を有するキャップ体が被せられて梱包済クラフト紙に固定されているので、梱包体の輸送時に両端部が保護される。また、梱包体を積み重ねた場合には、両端部のキャップ体を被せた部分で上の梱包体の荷重を受けることができるので、軒樋の変形を防止できると共に安定した積み重ねができる。
【００２３】
また、本発明の請求項２に記載の発明においては、軒樋集束体が少なくとも二重のクラフト紙で梱包されているので、輸送時に固定物に衝突しても、外側のクラフト紙は破けても内側のクラフト紙は破れないので、軒樋の外表面を衝突に対して保護できる。
また、４０〜８０ｇ／ｍ2のクラフト紙で梱包されているので、梱包し易くかつ安価で、梱包代の節約となる。
【００２４】
また、本発明の請求項３に記載の発明においては、キャップ体を多重に折り畳んで形成したものを使用しているので、多段に積み重ねても積載荷重の大部分は梱包体の両端部で支えられ、軒樋の変形を良好に防止できる。
【図面の簡単な説明】
【００２５】
【図１】本発明の軒樋梱包体の一例を示す斜視図である。
【図２】図１に示す軒樋梱包体の拡大中央横断面図で、（１）および（２）はそれぞれ別の実施形態を示している。
【図３】キャップ体の一例の折り畳み順序を説明する組立て説明図である。
【図４】キャップ体の他の例の折り畳み順序を説明する組立て説明図である。
【符号の説明】
【００２６】
１        軒樋集束体
１１      軒樋
１２      間隔保持板
１３      軒樋１１の開口縁
２        クラフト紙
２１      クラフトテープ
２２      テープ
３        結束バンド
４、４ａ、４ｂ    キャップ体
４１      クラフトテープ
５        方形筒体
６        箱体
【図１】
2005186962.tif 000003
【図２】
2005186962.tif 000004
【図３】
2005186962.tif 000005
【図４】
2005186962.tif 000006